(57)【要約】【課題】背面にハンドルを備える薄型表示装置にアダプターホルダを設け、アダプターやアダプターの配線の整理を効果的に実現する。【解決手段】表示装置１０は、表示部本体１２と、スタンド１３と、ハンドル１４とを備える。ハンドル１４の中抜きに、アダプターホルダ１１が嵌合されて取り付けられている。このアダプターホルダ１１は、ＡＣアダプター１５が挿入可能となっている。また、アダプターホルダ１１の正面側には側面に及び底面に連続する十字状の開口が形成されている。【選択図】図１
2008152121.tif 000002
【特許請求の範囲】
【請求項１】
薄型表示装置の背面のハンドルに取り付けられ、ＡＣ／ＤＣ変換アダプターを保持するアダプターホルダであって、
前記ＡＣ／ＤＣ変換アダプターが装填される装填部と、
前記ハンドルに係合する係合部と
を備えることを特徴とするアダプターホルダ。
【請求項２】
前記ハンドルは、略逆台形の抜き部分を有し、前記係合部は前記抜き部分に係合することを特徴とする請求項１に記載のアダプターホルダ。
【請求項３】
前記装填部は、筒状であり、前記筒状の底面に、前記ＡＣ／ＤＣ変換アダプターのケーブルを通す開口を有することを特徴とする請求項１又は２に記載のアダプターホルダ。
【請求項４】
前記装填部は、前記筒状の側面に前記底面の開口から連続する背割れを有することを特徴とする請求項３に記載のアダプターホルダ。
【請求項５】
前記筒状は、鉛直方向に形成され、上面に開口を有し、前記アダプターを前記筒状に装填又は抜き出す場合に、前記アダプターが備える凸部と干渉し、鉛直方向の動きを制限する干渉手段を備えることを特徴とする請求項３又は４に記載のアダプターホルダ。
【請求項６】
請求項１から５までのいずれかに記載のアダプターホルダを備えることを特徴とする表示装置。
【発明の詳細な説明】
【技術分野】
【０００１】
本発明は、アダプターホルダ、そのアダプターホルダを備えた表示装置に係り、特に、薄型表示装置のＡＣ／ＤＣ変換アダプターを保持するアダプターホルダと、そのアダプターホルダを備える表示装置に関する。
【背景技術】
【０００２】
液晶テレビなどの薄型表示装置においては、装置に電力を供給するためにＡＣ／ＤＣ変換装置が、装置外部にＡＣ／ＤＣ変換アダプター（以下、単に「ＡＣアダプター」ともいう。）として設けられることがある。特に、サイズが１４型（インチ）程度の小型の液晶テレビの場合、表示パネルの薄型化が進んだことにより、ＡＣ／ＤＣ変換装置を表示装置内部に設置するスペース確保が難しくなっており、一般に、ＡＣアダプターが採用される場合が多い。
【０００３】
ところで、薄型表示装置のＡＣアダプターが外部に設けられる場合、次のような課題がある。つまり、コンセントから薄型表示装置までの間や、薄型表示装置が設置されるラックなどに、ＡＣアダプターが無造作に置かれることがある。
【０００４】
このようにＡＣアダプターが無造作に置かれることに対して、設置場所の見栄えや、配線整理の観点から改善の要請がある。例えば、ＡＣアダプターを表示装置の筐体側面に保持する技術が開示されている（特許文献１参照。）。特許文献１に開示の技術では、ノート型パーソナルコンピュータをオフィス内で使用する際に、ノート型パーソナルコンピュータに表示させずＣＲＴ（Cathode Ray Tube）等の表示装置に表示させて使用するユーザのために、表示装置の側面にノート型パーソナルコンピュータやＡＣアダプター等の周辺機器を保持する保持装置を備える。
【０００５】
【特許文献１】特開２０００−１８７５３０号公報
【発明の開示】
【発明が解決しようとする課題】
【０００６】
ところで、特許文献１に開示の技術では、表示装置に保持装置を取り付ける構成であるため、表示装置の筐体側面に複数の係合孔を設けていた。このため、保持装置を用いない場合、係合孔が露出し、また、ユーザの目にとまり易いため、外観を損ねる可能性があった。
【０００７】
また、この技術は、比較的重量が大きいＣＲＴなどに比較的重量の小さい周辺機器を保持することを想定していた。したがって、保持装置を設置する場所に制限が少なかった。しかし、液晶テレビのような薄型表示装置の場合、そもそも保持装置を設置するためのスペース確保が難しかった。さらに、保持装置を取り付けた際の表示装置の安定性確保（転倒防止）の観点から、保持装置の取り付け位置が制限された。
【０００８】
本発明は、このような状況に鑑みなされたものであって、その目的は、背面にハンドルを備える薄型表示装置にアダプターホルダを設け、ＡＣアダプターやＡＣアダプターの配線の整理を効果的に実現できる技術を提供することにある。
【課題を解決するための手段】
【０００９】
本発明に係る装置は、薄型表示装置の背面のハンドルに取り付けられ、ＡＣ／ＤＣ変換アダプターを保持するアダプターホルダであって、前記ＡＣ／ＤＣ変換アダプターが装填される装填部と、前記ハンドルに係合する係合部とを備える。
また、前記ハンドルは、略逆台形の抜き部分を有し、前記係合部は前記抜き部分に係合してもよい。
また、前記装填部は、筒状であり、前記筒状の底面に、前記ＡＣ／ＤＣ変換アダプターのケーブルを通す開口を有してもよい。
また、前記装填部は、前記筒状の側面に前記底面の開口から連続する背割れを有してもよい。
また、前記筒状は、鉛直方向に形成され、上面に開口を有し、前記アダプターを前記筒状に装填又は抜き出す場合に、前記アダプターが備える凸部と干渉し、鉛直方向の動きを制限する干渉手段を備えてもよい。
本発明に係る表示装置は、上記のアダプターホルダを備える。
【発明の効果】
【００１０】
本発明によれば、背面にハンドルを備える薄型表示装置において、そのハンドルを利用してアダプターホルダを設けることにより、ＡＣアダプター及びＡＣアダプターの配線を効果的に整理することができる。
【発明を実施するための最良の形態】
【００１１】
次に、本発明を実施するための最良の形態（以下、単に「実施形態」という。）を、図面を参照して具体的に説明する。
【００１２】
図１に示すように、表示装置１０は、表示部本体１２と、スタンド１３と、ハンドル１４とを備える。ここで、表示装置１０は、液晶テレビやＰＤＰ（プラズマディスプレイパネル）テレビなどの薄型表示装置である。さらに、ハンドル１４には、アダプターホルダ１１が取り付けられている。このアダプターホルダ１１は、ＡＣアダプター１５が挿入可能となっている。
【００１３】
ここで、表示部本体１２の底面中央部分には、スタンド１３が取り付けられている。また、表示部本体１２の背面の中央部分であってスタンド１３の上方には、ハンドル１４が取り付けられている。ユーザは、表示装置１０を運搬したり、表示装置１０の表示の角度を調整する際に、ハンドル１４を掴んで利用する。
【００１４】
図２から図５に、ハンドル１４と、ハンドル１４に取り付けられＡＣアダプター１５が挿入されたアダプターホルダ１１とを示している。図２はその斜視図であり、さらに図３（ａ）は正面図、図３（ｂ）は左側面図、図３（ｃ）は平面図を示している。また、図４（ａ）は、図３（ａ）のＡ−Ａ端面図（断面図）、図４（ｂ）はＢ−Ｂ端面図（断面図）、図４（ｃ）はＣ−Ｃ端面図（断面図）を示している。さらに、図５（ａ）は、図３（ａ）のＤ−Ｄ断面図、図５（ｂ）は（ａ）の領域Ｅの拡大図を示している。さらにまた、図６に、ハンドル１４のみを取り出して示している。なお、ＡＣアダプター１５は、表示装置１０に接続されるアダプターケーブル１６と、コンセント（図示せず）に接続されるアダプターケーブル１７とを備える。
【００１５】
ハンドル１４は、逆台形の形状を有し、さらに、中央部分に逆台形形状の中抜き３７が形成されている。より具体的には、逆台形形状の上辺かつ長辺部分がグリップ３１となっており、下辺かつ短辺部分が渡設辺部３２となっている。また、図１及び図２に示すように、グリップ３１が表示部本体１２から離間するように、左側辺部３３ａ及び右側辺部３３ｂの上方端部が屈曲している。なお、本実施形態では、ハンドル１４と、アダプターホルダ１１は左右対称であるがこれに限る趣旨ではなく、さらに、各構成要素の符号については、理解の容易のために適宜一部省略する。
【００１６】
また、左側辺部３３ａ及び右側辺部３３ｂは、グリップ３１から下方に延びるにしたがって互いに接近する。また、渡設辺部３２の左端部には、左側辺部３３ａから連続して角状に延びる左延出部３４ａが形成されている。同様に、渡設辺部３２の右端部には、右側辺部３３ｂから連続して角状に延びる右延出部３４ｂが形成されている。
【００１７】
なお、左側辺部３３ａ及び右側辺部３３ｂには、ハンドル１４を表示部本体１２に取り付ける際のビス止めに用いられる左中央固定孔３５ａ及び右中央固定孔３５ｂが形成されている。同様に、左延出部３４ａ及び右延出部３４ｂの端部にも、左下部固定孔３６ａ及び右下部固定孔３６ｂが形成されている。
【００１８】
図２に戻り、アダプターホルダ１１は、直方体の角筒をベースに形成された装填部４０と、装填部４０の上部に取り付けられた取付部４５とを備える。アダプターホルダ１１の材料として合成樹脂などがあるが、これに限る趣旨ではなく、他に金属であってもよい。
【００１９】
図７は、アダプターホルダ１１を示しており、（ａ）は正面図、（ｂ）は右側面図、（ｃ）は平面図を示している。さらに、（ｄ）は（ａ）の正面図におけるＡ−Ａ断面図、（ｅ）は背面図を示している。以下、アダプターホルダ１１において、ハンドル１４に取り付けられる側の面を背面とし、その反対面、すなわち後述する左中央リブ４１ａ及び右中央リブ４１ｂが形成されている側の面を正面とする。
【００２０】
主に図２で分かるように、装填部４０の正面において、略中央より下側部分に保持のための要素が形成されている。さらに、正面には十字状の開口５４（以下、「十字開口５４」ともいう）が形成されており、いわゆる背割れ形状となっている。上述の十字開口５４において、横方向に延びる部分は、両側面の略中央までに亘って連続して形成されている。また、縦に延びる部分は、図７（ａ），（ｃ）に示すように、底面の略中央までに亘って連続して形成されている。なお、十字開口５４が装填部４０の底面にまで延びて形成されている部分を、底面開口５２と呼ぶ。
【００２１】
言い換えると、上述の十字開口５４が形成されることにより、装填部４０の側面の中央から所望の幅でＬ字状に左中央リブ４１ａ及び右中央リブ４１ｂが形成されている。同様に、装填部４０の側面下側から所望の幅でＬ字状に左下部リブ４２ａ及び右下部リブ４２ｂが形成されている。以下、左中央リブ４１ａ及び右中央リブ４１ｂを区別しないときは単に「中央リブ４１」といい、左下部リブ４２ａ及び右下部リブ４２ｂを区別しないときは単に「下部リブ４２」という。上述のような形状とすることによって、装填部４０は、ＡＣアダプター１５を抱きかかえるように保持する。また、中央リブ４１及び下部リブ４２は、上述のような材料及び構成により、ばね性を備える。
【００２２】
また、装填部４０の側面において、下側かつ背面側の端部から背面及び底面に亘って連続して左下側部開口４７ａ及び右下側部開口４７ｂが形成されている。以下、左下側部開口４７ａ及び右下側部開口４７ｂを区別しないときは単に「側部開口４７」という。また、図４や図７に示すように、装填部４０の背面側の面の中央部分には、背面中央開口４８が形成されている。このように、十字開口５４や側部開口４７、背面中央開口４８が形成されることで、ＡＣアダプター１５で発生した熱を、十字開口５４や側部開口４７、背面中央開口４８から外部に適正に放出できる。
【００２３】
さらにまた、左中央リブ４１ａ及び右中央リブ４１ｂの背面にはそれぞれ、図３（ｃ）や図４（ｂ）、図７（ａ）等に示すように、左中央リブ干渉片５５ａ及び右中央リブ干渉片５５ｂが突設されており、同様に、左下部リブ４２ａ及び右下部リブ４２ｂの背面にはそれぞれ、左下部リブ干渉片５６ａ及び右下部リブ干渉片５６ｂが突設されている。以下、左中央リブ干渉片５５ａ及び右中央リブ干渉片５５ｂを区別しないときは単に「中央リブ干渉片５５」といい、左下部リブ干渉片５６ａ及び右下部リブ干渉片５６ｂを区別しないときは単に「下部リブ干渉片５６」という。中央リブ干渉片５５と下部リブ干渉片５６の形状は、断面三角形となっている。
【００２４】
さらに、装填部４０の背面の内側の下側中央には縦に背面リブ５３が形成されている。ここで、背面リブ５３は一つだけであるが、これに限る趣旨ではない。
【００２５】
また、取付部４５は、略逆台形の形状を有し、また、装填部４０より背面側に凹状に形成されており、ハンドル１４の中抜き３７に嵌合する。なお、凹状の深さは、図４に示すように、渡設部３２の高さｈ２（図８に参照）と略同一となっている。また、取付左側面部５１ａ及び取付右側面部５１ｂが、ハンドル１４の左側辺部３３ａ及び右側辺部３３ｂとほぼ密着する形状で形成されている。なお、取付左側面部５１ａ及び取付部右側面部５１ｂを区別しないときは単に「取付側面部５１」という。
【００２６】
また、取付左側面部５１ａ及び取付右側面部５１ｂにはそれぞれ、外側横方向に延びる左係止片４３ａ及び右係止片４３ｂが板状片に形成されている。図５等に示すように、これら左係止片４３ａ及び右係止片４３ｂには、円形の左突出片４４ａ及び右突出片４４ｂが背面側に厚さｈ１で僅かに突出して形成されており、ハンドル１４の左中央固定孔３５ａ及び右中央固定孔３５ｂに嵌合する。
【００２７】
なお、取付部４５をハンドル１４の中抜き３７に嵌合させる際に、取付部４５及び中抜き３７の逆台形形状を利用する。まず、中抜き３７の最終嵌合状態よりやや上方から取付部４５を挿入し、さらに取付部４５を下方に向けて移動させる。すると、取付側面部５１が、ハンドル１４の側辺部３３とほぼ密着する。このとき、左突出片４４ａ及び右突出片４４ｂは、左中央固定孔３５ａ及び右中央固定孔３５ｂと嵌合する。
【００２８】
これにより、アダプターホルダ１１はハンドル１４に対して仮固定状態となる。このように、ハンドル１４の逆台形形状の中抜き３７を利用して、アダプターホルダ１１の嵌合の位置あわせが容易となる。つづいて、取付部４５の中央下側に設けられた固定孔４６にビスを通し、表示部本体１２に設けられたビス孔（図示しない。）にビスを螺挿する。これによって、アダプターホルダ１１は、表示部本体１２に完全に固定される。
【００２９】
つづいて、主に図８（ａ）〜（ｃ）を用いて、ＡＣアダプター１５の装填部４０への挿入について説明する。
【００３０】
まず、図８（ａ）に示すように、ＡＣアダプター１５を上側が手前になるように斜めにして、ＡＣアダプター１５の下側部分を装填部４０の上面開口部分に矢印Ｐ方向に差し込む。このとき、ＡＣアダプター１５の凸部７２と中央リブ干渉片５５は干渉しない寸法及び位置で形成されている。なお、ＡＣアダプター１５を差し込む位置が若干ずれ、凸部７２と中央リブ干渉片５５が干渉した場合であっても、中央リブ４１がばね性を備えることから、人が押し込む力が作用した場合、中央リブ４１は外側に移動し、ＡＣアダプター１５は円滑に挿入される。
【００３１】
次に、図８（ｂ）に示すように、ＡＣアダプター１５を鉛直になるように矢印Ｑ方向に回転させ、ＡＣアダプター１５が鉛直になったら、さらにＡＣアダプター１５を若干手前（本図左側に）に移動させる。この状態では、装填部４０の背面側の内面とＡＣアダプター１５との間には、若干の幅Ｗの空間があり、前後（本図では左右）に移動できる。
【００３２】
そして、図８（ｃ）に示すように、ＡＣアダプター１５を矢印Ｒ方向である下方向へ移動させ、ＡＣアダプター１５を装填部４０の奥まで挿入する。このとき、背面リブ５３が上記の空間と同じ幅Ｗで形成されており、ＡＣアダプター１５が装填部４０の奥まで完全に挿入されると、背面リブ５３及び下部リブ干渉片５６によって、ＡＣアダプター１５は固定され、ぐらつきが防止される。なお、背面リブ５３及び下部リブ干渉片５６による固定は、ＡＣアダプター１５の下側の一部でなされているため、ＡＣアダプター１５を取り出す操作がなされると、容易に取り出せる。
【００３３】
また、主に図４（ｂ）に示すように、中央リブ干渉片５５や下部リブ干渉片５６が、ＡＣアダプター１５に形成されている凸部７２と干渉し、ＡＣアダプター１５が装填部４０に挿入又は取り出す際に、上下方向の動きが制限され、意図せずＡＣアダプター１５が簡単に装填部４０から取り外れてしまうことが防止される。したがって、表示装置１０が転倒してしまった場合であっても、ＡＣアダプター１５はアダプターホルダ１１から外れない。
【００３４】
また、図４（ｂ）や図８（ｃ）では、下部リブ干渉片５６がＡＣアダプター１５の凸部７２に係止された状態にあるが、例えば、この係止が外れＡＣアダプター１５が装填部４０から抜け出す方向（図示で上方向）に移動した場合であっても、装填部４０の出入口付近に設けられた中央リブ干渉片５５が干渉し、人が取り外す意図を持って力を作用させない限り、容易には抜き取ることができない。
【００３５】
また、ＡＣアダプター１５が装填部４０に保持される際に、底面開口５２にアダプターケーブル１６が挿通する。上述のように、底面開口５２と正面の十字開口５４が連続して形成されているため、ＡＣアダプター１５がアダプターホルダ１１に保持される際に、アダプターケーブル１６は、ＡＣアダプター１５から分離される必要がない。
【００３６】
以上、本実施形態によれば、背面にハンドル１４を備える薄型の表示装置１０において、そのハンドル１４にアダプターホルダ１１を嵌合させて取り付けることにより、ＡＣアダプター１５の本体及びアダプターケーブル１６，１７を効果的に整理をできる。また、アダプターホルダ１１の正面側に開口（５４）を形成するようにリブ（４１，４２）を設け、そのリブ（４１，４２）によりＡＣアダプター１５を保持するようにした。正面、側面及び背面の開口（５４，４７，４８）を備えることで、ＡＣアダプター１５の熱を適正に外部に放出できる。さらに、リブ（４１，４２）の背面に、ＡＣアダプター１５と干渉する凸状の形状（５５，５６）を形成したことで、例えば、表示装置１０が転倒した場合であっても、装填されているＡＣアダプター１５は容易に抜け出ない。また、上記のリブ（４１，４２）がばね性を有することから、ＡＣアダプター１５の挿入又は取り出しの際に、適正な力で実現できる。
【００３７】
以上、本発明を実施形態をもとに説明した。この実施形態は例示であり、それらの各構成要素の組合せにいろいろな変形例が可能なこと、またそうした変形例も本発明の範囲にあることは当業者に理解されるところである。
【００３８】
例えば、実施形態では、ＡＣアダプター１５の上下方向の動きを制限するために、中央リブ４１及び下部リブ４２の内面に設けられた中央リブ干渉片５５及び下部リブ干渉片５６が、ＡＣアダプター１５に設けられた凸部７２に係止するようにして干渉したがこれに限る趣旨ではない。他に例えば、中央リブ干渉片５５や下部リブ干渉片５６がＡＣアダプター１５に設けられた所定の溝に係止するようにしてもよい。
【００３９】
また、実施形態では、ＡＣアダプター１５を上から装填部４０に挿入したがこれに限らず、例えば、図９に示すように、ＡＣアダプター１５を装填部４０に横から矢印Ｓ方向にはめ込む構成としてもよい。この構成の場合、装填部４０において、中央リブ４１及び下部リブ４２の代わりに、図示のように側面端部を、内側に係止片６１が形成された構成とすればよい。
【００４０】
また、中央リブ干渉片５５と下部リブ干渉片５６の形状は、上述の通り、断面三角形であるがこれに限る趣旨ではなく、例えば他に断面が矩形や半円などの形状がある。断面が矩形の場合、ＡＣアダプター１５の保持がより確実にできる。また、断面が半円の場合、ＡＣアダプター１５の装填および取り出しが容易になる。
【００４１】
さらに、中央リブ干渉片５５と下部リブ干渉片５６は、十字開口５４側の端部から側面に向けて連続して形成されているが、これに限る趣旨ではなく、連続して形成されていなくとも、ＡＣアダプター１５の凸部７２と干渉し、ＡＣアダプター１５の動きを制限する形状で形成されればよい。
【００４２】
またさらに、装填部４０の上部には、取付部４５が形成されている。ここで、装填部４０と取付部４５は、一体に成形されてもよいし、別体で形成された後、一体に接続されてもよい。また、アダプターホルダ１１は、ハンドル１４に嵌合させた後に、表示装置１０に固定したが、それに限らず、ハンドル１４に固定してもよい。
【産業上の利用可能性】
【００４３】
本発明は、背面にハンドルを備えた薄型表示装置に広く適用できる。
【図面の簡単な説明】
【００４４】
【図１】本実施形態に係る表示装置の背面斜視図である。
【図２】ハンドルに取り付けられ、ＡＣアダプターが装填された状態のアダプターホルダを示した斜視図である。
【図３】ハンドルに取り付け、ＡＣアダプターが装填された状態のアダプターホルダを示す三面図であり、（ａ）は正面図、（ｂ）は左側面図、（ｃ）は平面図である。
【図４】図３におけるＡ−Ａ端面図、Ｂ−Ｂ端面図及びＣ−Ｃ端面図である。
【図５】図３におけるＤ−Ｄ断面図及びそのＤ−Ｄ断面図における領域Ｅの拡大図である。
【図６】表示装置のハンドルを示す図である。
【図７】アダプターホルダを示す図であり、（ａ）は正面図、（ｂ）は左側面図、（ｃ）は平面図、（ｄ）はＡ−Ａ断面図、（ｅ）は背面図である。
【図８】ＡＣアダプターを装填部へ挿入する手順を示す端面図である。
【図９】アダプターホルダの変形例を示す平面図である。
【符号の説明】
【００４５】
１０      表示装置
１１      アダプターホルダ
１２      表示部本体
１３      スタンド
１４      ハンドル
１５      ＡＣアダプター
１６      アダプターケーブル
１７      アダプターケーブル
３１      グリップ
３２      渡設辺部
３３      側辺部
３３ａ    左側辺部
３３ｂ    右側辺部
３４ａ    左延出部
３４ｂ    右延出部
３５ａ    左中央固定孔
３５ｂ    右中央固定孔
３６      下部固定孔
３６ａ    左下部固定孔
３６ｂ    右下部固定孔
３７      中抜き
４０      装填部
４１      中央リブ
４１ａ    左中央リブ
４１ｂ    右中央リブ
４２      下部リブ
４２ａ    左下部リブ
４２ｂ    右下部リブ
４３ａ    左係止片
４３ｂ    右係止片
４４      突出片
４４ａ    左突出片
４４ｂ    右突出片
４５      取付部
４６      固定孔
４７      側部開口
４７ａ    左下側部開口
４７ｂ    右下側部開口
４８      背面中央開口
５１      取付側面部
５１ａ    取付左側面部
５１ｂ    取付右側面部
５２      底面開口
５３      背面リブ
５４      開口（十字開口）
５５      中央リブ干渉片
５５ａ    左中央リブ干渉片
５５ｂ    右中央リブ干渉片
５６      下部リブ干渉片
５６ａ    左下部リブ干渉片
５６ｂ    右下部リブ干渉片
６１      係止片
７２      凸部  。
【図１】
2008152121.tif 000003
【図２】
2008152121.tif 000004
【図３】
2008152121.tif 000005
【図４】
2008152121.tif 000006
【図５】
2008152121.tif 000007
【図６】
2008152121.tif 000008
【図７】
2008152121.tif 000009
【図８】
2008152121.tif 000010
【図９】
2008152121.tif 000011